(57)【要約】【課題】  例えば、軸上色収差の二次スペクトルの補正に有利な、エクステンダレンズ群を有するズームレンズを提供することを目的とする。【解決手段】  ズームレンズは、物体側から像側へ順に、変倍のためには移動しない正の屈折力の第１レンズ群と、変倍のために移動する負の屈折力の第２レンズ群と、変倍のために移動する少なくとも１つのレンズ群と、最も像側に配された正の屈折力のリレーレンズ群と、を有するマスターレンズと、物体側において前記リレーレンズ群の隣りに有するレンズ群の換わりに、または物体側において前記リレーレンズ群の隣りの空気間隔に挿入されることにより、全体の焦点距離範囲を変更するエクステンダレンズ群と、を有し、前記エクステンダレンズ群は、正レンズＧｐを含み、前記正レンズＧｐのアッベ数および部分分散比は適切に設定されることを特徴とする。【選択図】  図９
2020012910.tif 000002
【特許請求の範囲】
【請求項１】
物体側から像側へ順に、変倍のためには移動しない正の屈折力の第１レンズ群と、変倍のために移動する負の屈折力の第２レンズ群と、変倍のために移動する少なくとも１つのレンズ群と、最も像側に配された正の屈折力のリレーレンズ群と、を有するマスターレンズと、
物体側において前記リレーレンズ群の隣りに有するレンズ群の換わりに、または物体側において前記リレーレンズ群の隣りの空気間隔に挿入されることにより、全体の焦点距離範囲を変更するエクステンダレンズ群と、
を有し、
前記エクステンダレンズ群は、正レンズＧｐを含み、前記正レンズＧｐのアッベ数および部分分散比をそれぞれνｄおよびθｇＦとして、条件式
θｇＦ−（−１．６６５０×１０−７・νｄ３＋５．２１３０×１０−５・νｄ２−５．６５６０×１０−３・νｄ＋０．７３７０）＞０、
０．５４５０＜θｇＦ、および
５０．０＜νｄ＜８５．０
を満足することを特徴とするズームレンズ。
ここで、アッベ数νｄおよび部分分散比θｇＦは、それぞれ、ｇ線（波長４３５．８ｎｍ）、Ｆ線（４８６．１ｎｍ）、Ｃ線（６５６．３ｎｍ）およびｄ線（５８７．６ｎｍ）に対する材料の屈折率をそれぞれＮｇ、ＮＦ、ＮＣおよびＮｄとして、式
νｄ＝（Ｎｄ−１）／（ＮＦ−ＮＣ）、および
θｇＦ＝（Ｎｇ−ＮＦ）／（ＮＦ−ＮＣ）
で表される。
【請求項２】
前記マスターレンズの広角端における焦点距離をｆｗとし、前記エクステンダレンズ群が挿入された状態での広角端における全体の焦点距離をｆｉｅｗとして、条件式
１．３＜ｆｉｅｗ／ｆｗ＜３．０
を満足することを特徴とする請求項１に記載のズームレンズ。
【請求項３】
前記エクステンダレンズ群の最も物体側の面の頂点から最も像側の面の頂点までの距離をＬｉｅとし、前記最も物体側の面の頂点から前記正レンズＧｐのうち最も物体側の正レンズＧｐ１の物体側の面の頂点までの距離をＬＧｐ１として、条件式
０＜ＬＧｐ１／Ｌｉｅ＜０．４
を満足することを特徴とする請求項１または２に記載のズームレンズ。
【請求項４】
前記エクステンダレンズ群は、物体側から像側へ順に、正レンズと、３つの接合レンズと、からなることを特徴とする請求項１乃至３のうちいずれか１項に記載のズームレンズ。
【請求項５】
前記エクステンダレンズ群は、物体側から像側へ順に、少なくとも１つの正レンズと、２つの接合レンズと、からなることを特徴とする請求項１乃至３のうちいずれか１項に記載のズームレンズ。
【請求項６】
前記エクステンダレンズ群は、物体側から像側へ順に、１つの正レンズと、２つの接合レンズと、１つの負レンズと、からなることを特徴とする請求項１乃至３のうちいずれか１項に記載のズームレンズ。
【請求項７】
請求項１乃至６のうちいずれか１項に記載のズームレンズと、
前記ズームレンズの像面に配された撮像素子と、
を有することを特徴とする撮像装置。
【発明の詳細な説明】
【技術分野】
【０００１】
本発明は、ズームレンズ及び撮影装置に関する。
【背景技術】
【０００２】
テレビカメラ・ビデオカメラ等の撮像装置には、高ズーム比（高変倍比）および高い光学性能を有したズームレンズが要望されている。また、ズームレンズにおいて焦点距離範囲を望遠側へシフトして広い焦点距離範囲を得る方法として、内蔵エクステンダ方式が知られている。内蔵エクステンダ方式は、リレーレンズ群内において、確保された空間または一部のレンズが退避した空間にエクステンダレンズ群を挿抜して、ズームレンズの焦点距離範囲を長焦点側へ変更する方式である。
【０００３】
２／３型の撮像素子を含む放送用テレビカメラのためのズームレンズにおいて、焦点距離範囲を長焦点側へ変更するためのエクステンダレンズ群を内蔵したものが知られている（特許文献１および２）。
【先行技術文献】
【特許文献】
【０００４】
【特許文献１】特許２０１７−６８０９５号公報
【特許文献２】特開２０１６−９９３９６号公報
【発明の概要】
【発明が解決しようとする課題】
【０００５】
上述の内蔵エクステンダ方式のズームレンズでは、縦収差は、エクステンダの挿入により拡大され、当該拡大の倍率は、エクステンダの倍率の自乗となる。撮像装置の高精細化に伴って撮像素子が高画素化すると、１画素の面積が小さくなり、そのため、軸上色収差による色滲みが顕著となりうる。それゆえ、軸上色収差のうち特に２次スペクトルを小さくすることが重要である。特定の２波長での色収差の補正は、２波長色消し（１次スペクトル補正）とも呼ばれる。更に特定の波長を加えて特定の３波長での色収差の補正は、２次スペクトル補正とも呼はれる。エクステンダ倍率を高くしながらもエクステンダレンズ群を挿入した場合の軸上色収差の２次スペクトルを補正するには、エクステンダレンズ群内での軸上色収差の２次スペクトルを小さくすることが必要である。そのためには、エクステンダレンズ群内の硝材の部分分散比の選択が重要である。特許文献１および２は、いずれも、部分分散比に関する記載を有していない。
【０００６】
本発明は、例えば、軸上色収差の二次スペクトルの補正に有利な、エクステンダレンズ群を有するズームレンズを提供することを目的とする。
【課題を解決するための手段】
【０００７】
上記目的を達成するために、本発明のズームレンズは、物体側から像側へ順に、変倍のためには移動しない正の屈折力の第１レンズ群と、変倍のために移動する負の屈折力の第２レンズ群と、変倍のために移動する少なくとも１つのレンズ群と、最も像側に配された正の屈折力のリレーレンズ群と、を有するマスターレンズと、物体側において前記リレーレンズ群の隣りに有するレンズ群の換わりに、または物体側において前記リレーレンズ群の隣りの空気間隔に挿入されることにより、全体の焦点距離範囲を変更するエクステンダレンズ群と、を有し、前記エクステンダレンズ群は、正レンズＧｐを含み、前記正レンズＧｐのアッベ数および部分分散比をそれぞれνｄおよびθｇＦとして、条件式
θｇＦ−（−１．６６５０×１０−７・νｄ３＋５．２１３０×１０−５・νｄ２−５．６５６０×１０−３・νｄ＋０．７３７０）＞０、
０．５４５０＜θｇＦ、および
５０．０＜νｄ＜８５．０
を満足することを特徴とするズームレンズ。ここで、アッベ数νｄおよび部分分散比θｇＦは、それぞれ、ｇ線（波長４３５．８ｎｍ）、Ｆ線（４８６．１ｎｍ）、Ｃ線（６５６．３ｎｍ）およびｄ線（５８７．６ｎｍ）に対する材料の屈折率をそれぞれＮｇ、ＮＦ、ＮＣおよびＮｄとして、式
νｄ＝（Ｎｄ−１）／（ＮＦ−ＮＣ）、および
θｇＦ＝（Ｎｇ−ＮＦ）／（ＮＦ−ＮＣ）
で表される。
【発明の効果】
【０００８】
本発明によれば、例えば、軸上色収差の２次スペクトルの補正に有利な、エクステンダレンズ群を有するズームレンズを提供することができる。
【図面の簡単な説明】
【０００９】
【図１】マスターレンズＭ１の広角端、無限遠合焦時のレンズ断面図である。
【図２】マスターレンズＭ１の広角端（ａ）、ズーム中間（ｂ）、望遠端（ｃ）で無限遠合焦時の収差図である。
【図３】マスターレンズＭ２の広角端、無限遠合焦時のレンズ断面図である。
【図４】マスターレンズＭ２の広角端（ａ）、ズーム中間（ｂ）、望遠端（ｃ）で無限遠合焦時の収差図である。
【図５】マスターレンズＭ３の広角端、無限遠合焦時のレンズ断面図である。
【図６】マスターレンズＭ３の広角端（ａ）、ズーム中間（ｂ）、望遠端（ｃ）で無限遠合焦時の収差図ある。
【図７】マスターレンズＭ４の広角端、無限遠合焦時のレンズ断面図である。
【図８】マスターレンズＭ４の広角端（ａ）、ズーム中間（ｂ）、望遠端（ｃ）で無限遠合焦時の収差図である。
【図９】数値実施例１のマスターレンズＭ１にエクステンダレンズ群ＩＥ１を挿入した時の広角端、無限遠合焦時のレンズ断面図である。
【図１０】数値実施例１のマスターレンズＭ１にエクステンダレンズ群ＩＥ１を挿入した時の広角端（ａ）、望遠端（ｃ）で無限遠合焦時の収差図である。
【図１１】数値実施例２のマスターレンズＭ１にエクステンダレンズ群ＩＥ２を挿入した時の広角端、無限遠合焦時のレンズ断面図である。
【図１２】数値実施例２のマスターレンズＭ１にエクステンダレンズ群ＩＥ２を挿入した時の広角端（ａ）、望遠端（ｃ）で無限遠合焦時の収差図である。
【図１３】数値実施例３のマスターレンズＭ１にエクステンダレンズ群ＩＥ３を挿入した時の広角端、無限遠合焦時のレンズ断面図である。
【図１４】数値実施例３のマスターレンズＭ１にエクステンダレンズ群ＩＥ３を挿入した時の広角端（ａ）、望遠端（ｃ）で無限遠合焦時の収差図である。
【図１５】数値実施例４のマスターレンズＭ１にエクステンダレンズ群ＩＥ４を挿入した時の広角端、無限遠合焦時のレンズ断面図である。
【図１６】数値実施例４のマスターレンズＭ１にエクステンダレンズ群ＩＥ４を挿入した時の広角端（ａ）、望遠端（ｃ）で無限遠合焦時の収差図である。
【図１７】数値実施例５のマスターレンズＭ２にエクステンダレンズ群ＩＥ５を挿入した時の広角端、無限遠合焦時のレンズ断面図である。
【図１８】数値実施例５のマスターレンズＭ２にエクステンダレンズ群ＩＥ５を挿入した時の広角端（ａ）、望遠端（ｃ）で無限遠合焦時の収差図である。
【図１９】数値実施例６のマスターレンズＭ２にエクステンダレンズ群ＩＥ６を挿入した時の広角端、無限遠合焦時のレンズ断面図である。
【図２０】数値実施例６のマスターレンズＭ２にエクステンダレンズ群ＩＥ６を挿入した時の広角端（ａ）、望遠端（ｃ）で無限遠合焦時の収差図である。
【図２１】数値実施例７のマスターレンズＭ３にエクステンダレンズ群ＩＥ７を挿入した時の広角端、無限遠合焦時のレンズ断面図である。
【図２２】数値実施例７のマスターレンズＭ３にエクステンダレンズ群ＩＥ７を挿入した時の広角端（ａ）、望遠端（ｃ）で無限遠合焦時の収差図である。
【図２３】数値実施例８のマスターレンズＭ１にエクステンダレンズ群ＩＥ８を挿入した時の広角端、無限遠合焦時のレンズ断面図である。
【図２４】数値実施例８のマスターレンズＭ１にエクステンダレンズ群ＩＥ８を挿入した時の広角端（ａ）、望遠端（ｃ）で無限遠合焦時の収差図である。
【図２５】数値実施例９のマスターレンズＭ１にエクステンダレンズ群ＩＥ９を挿入した時の広角端、無限遠合焦時のレンズ断面図である。
【図２６】数値実施例９のマスターレンズＭ１にエクステンダレンズ群ＩＥ９を挿入した時の広角端（ａ）、望遠端（ｃ）で無限遠合焦時の収差図である。
【図２７】数値実施例１０のマスターレンズＭ４にエクステンダレンズ群ＩＥ１０を挿入した時の広角端、無限遠合焦時のレンズ断面図である。
【図２８】数値実施例１０のマスターレンズＭ４にエクステンダレンズ群ＩＥ１０を挿入した時の広角端（ａ）、望遠端（ｃ）で無限遠合焦時の収差図である。
【図２９】本発明の撮像装置の要部概略図である。
【図３０】θｇＦ−νｄ図である。
【図３１】本発明のエクステンダレンズ群の模式図である。
【発明を実施するための形態】
【００１０】
以下に、本発明の好ましい実施の形態を、添付の図面に基づいて詳細に説明する。実施例１〜１０に対応する数値実施例１〜１０のレンズ構成の特徴により説明する。マスターレンズＭ１〜Ｍ４については、それぞれ数値実施例１、５、７、１０にて説明する。
【００１１】
各レンズ断面図において、左方が被写体（物体）側（前方）で、且つ、撮像光学系側であり、右方が像側（後方）である。
【実施例１】
【００１２】
実施例１は、数値実施例１に対応し、マスターレンズＭ１にエクステンダレンズ群ＩＥ１を挿入する構成である。
【００１３】
はじめに数値実施例１に対応するマスターレンズＭ１について説明する。図１は、マスターレンズＭ１の広角端、無限遠合焦状態におけるレンズ断面図である。Ｌ１はズーミングのためには移動しない正の屈折力の第１レンズ群である。第１レンズ群Ｌ１の一部のレンズ群が無限遠物体から近距離物体にフォーカシングする際に移動する。Ｌ２は広角端（短焦点距離端）から望遠端（長焦点距離端）へのズーミングに際して像側へ移動する変倍用の負の屈折力の第２レンズ群である。Ｌ３は広角端から望遠端へのズーミングに際して光軸上を移動する変倍用の負の屈折力の第３レンズ群である。Ｌ４は、変倍に伴う像面変動を補正する正の屈折力の第４レンズ群である。Ｌ５はズーミングに際して不動の開口絞りＳＰを含み、ズーミングに際して不動の正の第５レンズ群である。ＲＬは、ズーミングに際して不動であり、結像作用を有するリレーレンズ群である。Ｐはプリズムなどの光学素子である。Ｉは像面であり、固体撮像素子（光電変換素子）の撮像面に相当している。
【００１４】
次に、マスターレンズＭ１の各群の構成について説明する。以下、各レンズは物体側より像側へ順に配置されているものとする。
【００１５】
第１レンズ群Ｌ１は負レンズ、負レンズ、正レンズ、正レンズ、正レンズ、負レンズ、正レンズ、正レンズ、正レンズの９枚で構成されている。フォーカシングに際して第１レンズ群の物体側から５枚目から８枚目の４枚のレンズが無限遠物体から近距離物体への合焦時に物体側に移動し、最も像側の１枚の正レンズがそれに伴い物体側へ移動する。第２レンズ群Ｌ２は負レンズ、正レンズと負レンズの接合レンズ、正レンズで構成されている。第３レンズ群Ｌ３は負レンズと正レンズの接合レンズで構成されている。第４レンズ群Ｌ４は正レンズ、正レンズで構成されている。ズーミングに際して第２レンズ群、第３レンズ群、第４レンズ群が移動する。第５レンズ群Ｌ５は正レンズと負レンズの接合レンズで構成されている。リレーレンズ群ＲＬは正レンズ、負レンズと正レンズの接合レンズ、正レンズと負レンズの接合レンズ、正レンズで構成されている。
【００１６】
次に、マスターレンズＭ１のリレーレンズ群ＲＬの物体側に挿入されることで、レンズ全系の焦点距離を２倍に長焦点化するエクステンダレンズ群ＩＥ１について説明する。図９は、本発明の実施例１（数値実施例１）のズームレンズにおいて、マスターレンズＭ１にエクステンダレンズ群ＩＥ１を挿入した時の、広角端、無限遠合焦状態における断面図である。実施例１のエクステンダレンズ群ＩＥ１は、面番号ＩＥ０１〜ＩＥ１１に対応する。エクステンダレンズ群ＩＥ１は、物体側から順に、後述する正レンズＧｐ（Ｇｐ１）である正レンズ、正レンズと負レンズの接合レンズ、負レンズと正レンズの接合レンズ、正レンズと負レンズの接合レンズで構成されている。
【００１７】
各実施例のズームレンズは、物体側から像側へ順に、変倍のためには移動せず正の屈折力の第１レンズ群と、変倍に際して移動し、負の屈折力の第２レンズ群と、変倍に際して移動する１つ以上の群と、最も像側に配置され、正の屈折力のリレーレンズ群を有するマスターレンズを有する。更に各実施例のズームレンズは、リレーレンズ群の物体側に隣接するレンズユニットを置換することにより、もしくは前記リレーレンズ群の物体側に隣接する空気間隔に挿入されることにより、マスターレンズの全体の焦点距離範囲を長焦点側へ変位させるエクステンダレンズ群を有する。エクステンダレンズ群の正レンズのうち少なくとも１枚は、下記条件式を満足する材料からなる正レンズ（レンズ素子）Ｇｐであることを特徴とする。
θｇＦ−（−１．６６５０×１０−７・νｄ３＋５．２１３０×１０−５・νｄ２−５．６５６０×１０−３・νｄ＋０．７３７０）＞０  ・・・（１）
０．５４５０＜θｇＦ  ・・・（２）
５０．０＜νｄ＜８５．０  ・・・（３）
【００１８】
ここで、アッベ数νｄ及び部分分散比θｇＦは、フラウンホーファー線のｇ線（波長４３５．８ｎｍ）、Ｆ線（４８６．１ｎｍ）、Ｃ線（６５６．３ｎｍ）、ｄ線（５８７．６ｎｍ）に対する材料の屈折率をそれぞれＮｇ、ＮＦ、ＮＣ、Ｎｄとして、
νｄ＝（Ｎｄ−１）／（ＮＦ−ＮＣ）
θｇＦ＝（Ｎｇ−ＮＦ）／（ＮＦ−ＮＣ）
なる条件式で表される。
【００１９】
条件式（１）と（２）はエクステンダレンズ群内の正レンズＧｐの材料の部分分散比θｇＦを規定している。図３０は、アッベ数νｄを横軸に、縦軸に部分分散比θｇＦにとり、現存する光学ガラスをプロットした図である。図３０に示すように、現存する光学ガラスはアッベ数νｄに対し部分分散比θｇＦが狭い範囲に分布しており、アッベ数νｄが小さいほど部分分散比θｇＦが大きい傾向を持っている。図３１は、本発明のエクステンダレンズ群の模式図である。図３１のように、エクステンダレンズ群は、平行光乃至は略平行光で入射する光線を正の屈折力を有する正屈折力群で収斂光にし、負の屈折力を有する負屈折力群で平行光乃至は略平行光として射出する構成である。
【００２０】
エクステンダレンズ群内での軸上色収差の２次スペクトルを抑制するためには、エクステンダレンズ群を構成する正屈折力群と負屈折力群の各群内で軸上色収差の２次スペクトルが抑制されている必要がある。正屈折力群は、正レンズの屈折力が負レンズに対して強くなるため、正レンズで発生する軸上色収差を抑制するため、正レンズは負レンズに対して分散の小さい（アッベ数の大きい）材料で構成する必要がある。しかしながら、現存する光学ガラスは、νｄが小さいほどθｇＦが大きい傾向を持っているため、正レンズの部分分散比が相対的に小さくなり、２次スペクトルが補正不足となる。条件式（１）と（２）式を満たす硝材を、エクステンダレンズ群内の正レンズに適用することで、前述の正屈折力群内の軸上色収差の２次スペクトルの補正不足を解消し、エクステンダレンズ群としての軸上色収差の２次スペクトル補正を抑制することが可能となる。条件式（１）の下限値を超えて小さくなると、エクステンダレンズ群挿入時の軸上色収差の二次スペクトルを抑制することが困難となる。図３０において実線が条件式（１）の曲線を示している。
【００２１】
条件式（３）はエクステンダレンズ群内の正レンズＧｐの材料のアッベ数νｄを規定している。条件式（３）の上限値を超えてアッベ数νｄが大きくなると、一般的に屈折率が低くなり、各面の曲率半径が小さくなるため、コバ厚を確保するために必要なレンズ肉厚が増え、大型化するため好ましくない。また、条件式（３）の下限値を超えてアッベ数νｄが小さくなると、１次の色消しが補正不足となり、高い光学性能を得ることが困難となる。
【００２２】
なお、各実施例において、好ましくは、条件式（１）乃至（３）の数値範囲を次の如くするのが良い。
θｇＦ−（−１．６６５０×１０−７・νｄ３＋５．２１３０×１０−５・νｄ２−５．６５６０×１０−３・νｄ＋０．７３９８）＞０  ・・・（１ａ）
０．５４９０＜θｇＦ＜０．６０００  ・・・（２ａ）
５２．０＜νｄ＜８１．０  ・・・（３ａ）
【００２３】
また、更に好ましくは条件式（２ａ）、（３ａ）の数値範囲を次の如く設定するのが良い。
０．５４９０＜θｇＦ＜０．５９５０  ・・・（２ｂ）
５４．０＜νｄ＜６７．０  ・・・（３ｂ）
【００２４】
更なる本発明のズームレンズの態様として、以下の条件式を満足するのが望ましい。
１．３＜ｆｉｅｗ／ｆｗ＜３．０  ・・・（４）
但し、エクステンダレンズ群がズームレンズから抜去された状態での広角端におけるズームレンズ全系の焦点距離をｆｗとし、エクステンダレンズ群がズームレンズに挿入された状態での広角端におけるズームレンズ全系の焦点距離をｆｉｅｗとする。条件式（４）は、エクステンダレンズ群挿入前後のレンズ全系の広角端における焦点距離の比であり、エクステンダ倍率を規定している。
条件式（４）の上限を超えると、エクステンダレンズを構成する各レンズの屈折力が強くなり、エクステンダレンズ挿入時の球面収差や、像面湾曲が悪化するため、好ましくない。逆に条件式（４）の下限を超えると、エクステンダ倍率が低く、エクステンダレンズ群としての機能が不足するため、好ましくない。
【００２５】
更に好ましくは、条件式（４）は次の如く設定するのが良い。
１．３５＜ｆｉｅｗ／ｆｗ＜２．８０  ・・・（４ａ）
【００２６】
更なる本発明のズームレンズの態様として、以下の条件式を満足するのが望ましい。
０＜ＬＧｐ１／Ｌｉｅ＜０．４  ・・・（５）
【００２７】
但し、エクステンダレンズ群の最も物体側の面の面頂点位置から、最も像側の面の面頂点位置までの距離をＬｉｅとする。また、エクステンダレンズ群の最も物体側の面頂点位置から、前記正レンズＧｐのうち最も物体側にある正レンズＧｐ１の物体側の面頂点位置までの距離をＬＧｐ１とする。条件式（５）は、エクステンダレンズ群の全長と、エクステンダレンズ群の最も物体側の面から正レンズＧｐ１までの距離の比を規定している。条件式（５）の上限を超えると、正レンズＧｐ１がエクステンダレンズ群の中でも像側に配置することになり、軸上光線がより収斂した位置に配置されることになる。そのため、前述した正屈折力群での軸上色収差の２次スペクトルの補正効果が弱くなり、エクステンダレンズ群挿入時の軸上色収差の２次スペクトルを抑制することが困難となる。
【００２８】
更に好ましくは、条件式（５）は次の如く設定するのが良い。
０＜ＬＧｐ１／Ｌｉｅ＜０．３  ・・・（５ａ）
【００２９】
更なる本発明のズームレンズの態様として、前記エクステンダレンズ群は、物体側から順に、正レンズと、３つの接合レンズからなることが好ましい。このような構成とすることで、エクステンダレンズ群のペッツバール和を補正することが容易となるため、エクステンダレンズ群挿入時の像面湾曲を抑制することが可能となる。
【００３０】
更なる本発明のズームレンズの態様として、前記エクステンダレンズ群は、物体側から順に、少なくとも１枚の正レンズと、２つの接合レンズからなることが好ましい。このような構成とすることで、少ないレンズ枚数で球面収差と、軸上色収差を良好に補正することが可能なため、小型化と高性能化の両立が可能となる。
【００３１】
更なる本発明のズームレンズの態様として、前記エクステンダレンズ群は、物体側から順に、１枚の正レンズと、２つの接合レンズと、１枚の負レンズからなることが好ましい。このような構成とすることで、前述したエクステンダレンズ内の負屈折力群の負の屈折力を強くすることができるため、エクステンダレンズ群の全長を長くすることなく、エクステンダ倍率を高倍率化することが可能となる。
【００３２】
更なる本発明のズームレンズの態様として、以下の条件式を満足するのが望ましい。
１．５０＜ＮｄＧｐ＜１．７５  ・・・（６）
但し、前記正レンズＧｐのｄ線の屈折率をＮｄＧｐとする。
【００３３】
条件式(６)は、正レンズＧｐの屈折率を規定している。条件式(６)の上限を超えると、ペッツバール和が悪化し、像面湾曲の補正が困難となる。逆に条件式(６)の下限を超えると、正レンズＧｐが所定の屈折力を得るために各面の曲率半径が小さくなり、球面収差が悪化するため好ましくない。
【００３４】
更に好ましくは、条件式(６)は次の如く設定するのが良い。
１．５２＜ＮｄＧｐ＜１．７０  ・・・（６ａ）
【００３５】
図２に、マスターレンズＭ１の無限遠合焦時の（ａ）広角端、（ｂ）焦点距離７２．７ｍｍ、（ｃ）望遠端における縦収差図を示す。但し、焦点距離の値は、後述する数値実施例をｍｍ単位で表したときの値である。収差図は、球面収差は１．００ｍｍ、非点収差は１．００ｍｍ、歪曲は１０％、倍率色収差は０．０５０ｍｍのスケールで描かれている。ＦｎｏはＦナンバー、ωは半画角である。なお、広角端と望遠端は変倍用の第２レンズ群Ｌ２が機構上光軸上を移動可能な範囲の両端に位置したときのズーム位置をいう。これらは以下の各実施例において、全て同じである。
【００３６】
マスターレンズＭ１に限らず全数値実施例において、ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉは、第ｉ番目の面と第ｉ＋１番目の面との間の媒質（光学部材）の屈折率、アッベ数を、ＢＦはバックフォーカスを表している。非球面データにおける非球面形状は、次式で表される。ここで、光軸をＸ軸とし、光軸とは直交する軸をＨ軸とし、光の進行方向をＸ軸の正の方向とする。また、Ｒを近軸曲率半径とし、ｋを円錐定数とし、Ａ３、Ａ４、Ａ５、Ａ６、Ａ７、Ａ８、Ａ９、Ａ１０、Ａ１１、Ａ１２、Ａ１３、Ａ１４、Ａ１５およびＡ１６のそれぞれを非球面係数とする。
【数１】
2020012910.tif 000003
また、「ｅ−Ｚ」は「×１０−Ｚ」を意味する。半画角は光線追跡で求めた値である。
【００３７】
図１０は、マスターレンズＭ１にエクステンダレンズ群ＩＥ１を挿入した時の、無限遠合焦時の（ａ）広角端、（ｂ）焦点距離１４５．４ｍｍ、（ｃ）望遠端における縦収差図を示す。実施例１はエクステンダ倍率２．０倍のエクステンダレンズ群を備えるズームレンズである。数値実施例中の右端にＧｐ１と記載されているレンズが、エクステンダレンズ群に含まれる、条件式（１）〜（３）を満足する材料からなる正レンズＧｐであることを示す。数値実施例１では、条件式（１）〜（３）を満足する材料からなる正レンズＧｐの数は１枚である。以下の実施例で、２枚の正レンズが含まれる場合があるが、この場合には、物体側から順にＧｐ１、Ｇｐ２と記載する。
【００３８】
表１に数値実施例１の各条件式の対応値を示す。
数値実施例１は条件式（１）〜（６）の何れも満足しており、高倍率なエクステンダでありながら、軸上色収差の２次スペクトルが良好に補正されており、高い光学性能を有している。本発明のズームレンズは、（１）〜（３）式を満足することは必須であるが、（４）〜（６）式については満足していなくても構わない。但し、（４）〜（６）式について少なくとも１つでも満足していれば更に良い効果を奏することができる。これは他の実施例についても同様である。
【実施例２】
【００３９】
実施例２は、数値実施例２に対応し、マスターレンズＭ１にエクステンダレンズ群ＩＥ２を挿入したレンズ構成である。図１１は、本発明の実施例２（数値実施例２）のズームレンズにおいて、マスターレンズＭ１にエクステンダレンズ群ＩＥ２を挿入した時の、広角端、無限遠合焦状態における断面図である。
【００４０】
実施例２のエクステンダレンズ群ＩＥ２は実施例１のエクステンダレンズ群ＩＥ１と同様の構成であり、最も物体側の正レンズがＧｐ（Ｇｐ１）である。
【００４１】
図１２は、無限遠合焦時の（ａ）広角端、（ｂ）焦点距離１４５．４ｍｍ、（ｃ）望遠端における縦収差図を示す。実施例２はエクステンダ倍率２．５倍のエクステンダレンズ群を備えるズームレンズである。
【００４２】
表１に数値実施例２の各条件式の対応値を示す。
数値実施例２は条件式（１）〜（６）の何れも満足しており、高倍率なエクステンダでありながら、軸上色収差の２次スペクトルが抑制されており、高い光学性能を達成している。
【実施例３】
【００４３】
実施例３は、数値実施例３に対応し、マスターレンズＭ１にエクステンダレンズ群ＩＥ３を挿入したレンズ構成である。図１３は、本発明の実施例３（数値実施例３）のズームレンズにおいて、マスターレンズＭ１にエクステンダレンズ群ＩＥ３を挿入した時の、広角端、無限遠合焦状態における断面図である。
【００４４】
実施例３のエクステンダレンズ群ＩＥ３は、面番号ＩＥ０１〜ＩＥ０８に対応し、物体側から順に正レンズＧｐである正レンズ（Ｇｐ１）、正レンズと負レンズの接合レンズ、正レンズと負レンズの接合レンズで構成されている。
【００４５】
図１４は、無限遠合焦時の（ａ）広角端、（ｂ）焦点距離１３０．９ｍｍ、（ｃ）望遠端における縦収差図を示す。実施例３はエクステンダ倍率１．８倍のエクステンダレンズ群を備えるズームレンズである。
【００４６】
表１に数値実施例３の各条件式の対応値を示す。
数値実施例３は条件式（１）〜（５）を満足しており、高倍率なエクステンダでありながら、小型軽量であり、画面中心から周辺まで高い光学性能を達成している。
【実施例４】
【００４７】
実施例４は、数値実施例４に対応し、マスターレンズＭ１にエクステンダレンズ群ＩＥ４を挿入したレンズ構成である。図１５は、本発明の実施例４（数値実施例４）のズームレンズにおいて、マスターレンズＭ１にエクステンダレンズ群ＩＥ４を挿入した時の、広角端、無限遠合焦状態における断面図である。
【００４８】
実施例４のエクステンダレンズ群ＩＥ４は、面番号ＩＥ０１〜ＩＥ１０に対応する。エクステンダレンズ群ＩＥ４は、物体側から順に正レンズＧｐである正レンズ（Ｇｐ１）、正レンズ、正レンズＧｐである正レンズ（Ｇｐ２）と負レンズの接合レンズ、正レンズと負レンズの接合レンズで構成されている。
【００４９】
図１６は、無限遠合焦時の（ａ）広角端、（ｂ）焦点距離１４５．４ｍｍ、（ｃ）望遠端における縦収差図を示す。実施例４はエクステンダ倍率１．８倍のエクステンダレンズ群を備えるズームレンズである。
【００５０】
表１に数値実施例４の各条件式の対応値を示す。
数値実施例４は条件式（１）〜（６）の何れも満足しており、高倍率なエクステンダでありながら、軸上色収差の２次スペクトルが抑制されており、高い光学性能を達成している。
【実施例５】
【００５１】
実施例５は、数値実施例５に対応し、マスターレンズＭ２にエクステンダレンズ群ＩＥ５を挿入したレンズ構成である。
【００５２】
はじめに数値実施例５に対応するマスターレンズＭ２について説明する。図３は、マスターレンズＭ２の広角端、無限遠合焦状態におけるレンズ断面図である。Ｌ１はズーミングのためには移動しない正の屈折力の第１レンズ群である。第１レンズ群Ｌ１の一部のレンズ群が無限遠物体から近距離物体にフォーカシングする際に移動する。Ｌ２は広角端（短焦点距離端）から望遠端（長焦点距離端）へのズーミングに際して像側へ移動する変倍用の負の屈折力の第２レンズ群である。Ｌ３は広角端から望遠端へのズーミングに際して光軸上を移動する変倍用の負の屈折力の第３レンズ群である。Ｌ４は、ズーミングに際して不動の開口絞りＳＰを含み、ズーミングに際して不動の正の第４レンズ群である。ＲＬは、ズーミングに際して不動であり、結像作用を有するリレーレンズ群である。ＩＰは像面であり、固体撮像素子（光電変換素子）の撮像面に相当している。
【００５３】
次に、マスターレンズＭ１の各群の構成について説明する。第１レンズ群Ｌ１は正レンズ、負レンズ、正レンズ、負レンズ、正レンズ、正レンズの６枚で構成されている。フォーカシングに際して第１レンズ群の物体側から５枚目から６枚目の２枚のレンズが近距離合焦時に物体側に移動する。第２レンズ群Ｌ２は負レンズ、負レンズと正レンズの接合レンズ、負レンズ、正レンズで構成されている。第３レンズ群Ｌ３は負レンズと正レンズの接合レンズで構成されている。第４レンズ群Ｌ４は正レンズ、正レンズ、開口絞り、負レンズと正レンズの接合レンズ、正レンズ、負レンズと正レンズの接合レンズで構成されている。ズーミングに際して第２レンズ群、第３レンズ群が移動する。リレーレンズ群ＲＬは正レンズ、負レンズと正レンズの接合レンズ、負レンズと正レンズの接合レンズで構成されている。図４に、マスターレンズＭ２の無限遠合焦時の（ａ）広角端、（ｂ）焦点距離４８４．２ｍｍ、（ｃ）望遠端における縦収差図を示す。
【００５４】
図１７は、本発明の実施例５（数値実施例５）のズームレンズにおいて、マスターレンズＭ２にエクステンダレンズ群ＩＥ５を挿入した時の、広角端、無限遠合焦状態における断面図である。
【００５５】
実施例５のエクステンダレンズ群ＩＥ５は、面番号ＩＥ０１〜ＩＥ１０に対応し、物体側から順に正レンズＧｐである正レンズ（Ｇｐ１）、負レンズと正レンズの接合レンズ、負レンズと正レンズの接合レンズ、負レンズで構成されている。
【００５６】
図１８は、無限遠合焦時の（ａ）広角端、（ｂ）焦点距離７２６．３ｍｍ、（ｃ）望遠端における縦収差図を示す。実施例５はエクステンダ倍率１．５倍のエクステンダレンズ群を備えるズームレンズである。
【００５７】
表１に数値実施例５の各条件式の対応値を示す。
数値実施例５は条件式（１）〜（５）を満足しており、高倍率なエクステンダでありながら、軸上色収差の２次スペクトルが抑制されており、高い光学性能を達成している。
【実施例６】
【００５８】
実施例６は、数値実施例６に対応し、マスターレンズＭ２にエクステンダレンズ群ＩＥ６を挿入したレンズ構成である。図１９は、本発明の実施例６（数値実施例６）のズームレンズにおいて、マスターレンズＭ２にエクステンダレンズ群ＩＥ６を挿入した時の、広角端、無限遠合焦状態における断面図である。
【００５９】
実施例６のエクステンダレンズ群ＩＥ６は実施例５のエクステンダレンズ群ＩＥ５と同様の構成であり、最も物体側の正レンズがＧｐ１である。  図２０は、無限遠合焦時の（ａ）広角端、（ｂ）焦点距離６７７．９ｍｍ、（ｃ）望遠端における縦収差図を示す。実施例６はエクステンダ倍率１．４倍のエクステンダレンズ群を備えるズームレンズである。
【００６０】
表１に数値実施例６の各条件式の対応値を示す。
数値実施例６は条件式（１）〜（６）の何れも満足しており、高倍率なエクステンダでありながら、軸上色収差の２次スペクトルが抑制されており、高い光学性能を達成している。
【実施例７】
【００６１】
実施例７は、数値実施例７に対応し、マスターレンズＭ３の一部をエクステンダレンズ群ＩＥ７に置換したレンズ構成である。
【００６２】
はじめに数値実施例７に対応するマスターレンズＭ３について説明する。図５は、マスターレンズＭ３の広角端、無限遠合焦状態におけるレンズ断面図である。Ｌ１はズーミングのためには移動しない正の屈折力の第１レンズ群である。第１レンズ群Ｌ１の一部のレンズ群が無限遠物体から近距離物体にフォーカシングする際に移動する。Ｌ２は広角端（短焦点距離端）から望遠端（長焦点距離端）へのズーミングに際して像側へ移動する変倍用の負の屈折力の第２レンズ群である。Ｌ３は広角端から望遠端へのズーミングに際して物体側へ移動する変倍用の正の屈折力の第３レンズ群である。Ｌ４は、ズーミングに際して不動の開口絞りＳＰを含み、ズーミングに際して不動の正の第４レンズ群である。１ｘＵは、ズーミングに際して不動で、エクステンダレンズ群を挿入する際には光路上から退避する１ｘレンズ群である。ＲＬは、ズーミングに際して不動であり、結像作用を有するリレーレンズ群である。Ｐはプリズムなどの光学素子、ＩＰは像面であり、固体撮像素子（光電変換素子）の撮像面に相当している。
【００６３】
次に、マスターレンズＭ３の各群の構成について説明する。第１レンズ群Ｌ１は負レンズ、正レンズ、正レンズ、正レンズ、正レンズの５枚で構成されている。フォーカシングに際して第１レンズ群の物体側から３枚目から５枚目の３枚のレンズが近距離合焦時に物体側に移動する。第２レンズ群Ｌ２は負レンズ、負レンズと正レンズの接合レンズ、負レンズで構成されている。第３レンズ群Ｌ３は正レンズ、正レンズ、負レンズと正レンズの接合レンズ、正レンズで構成されている。ズーミングに際して第２レンズ群、第３レンズ群が移動する。第４レンズ群Ｌ４は負レンズ、正レンズ、負レンズで構成されている。１ｘレンズ群１ｘＵは、負レンズと正レンズの接合レンズ、正レンズで構成されている。リレーレンズ群ＲＬは正レンズ、負レンズと正レンズの接合レンズ、正レンズと負レンズの接合レンズ、正レンズで構成されている。図６に、マスターレンズＭ３の無限遠合焦時の（ａ）広角端、（ｂ）焦点距離３４１．７ｍｍ、（ｃ）望遠端における縦収差図を示す。
【００６４】
図２１は、本発明の実施例７（数値実施例７）のズームレンズにおいて、マスターレンズＭ３の１ｘＵをエクステンダレンズ群ＩＥ７に置換した時の、広角端、無限遠合焦状態における断面図である。実施例７のエクステンダレンズ群ＩＥ７は、面番号ＩＥ０１〜ＩＥ１０に対応し、物体側から順に、正レンズＧｐである正レンズ（Ｇｐ１）、正レンズと負レンズの接合レンズ、負レンズと正レンズの接合レンズ、負レンズで構成されている。
【００６５】
図２２は、無限遠合焦時の（ａ）広角端、（ｂ）焦点距離６８２ｍｍ、（ｃ）望遠端における縦収差図を示す。実施例７はエクステンダ倍率２．０倍のエクステンダレンズ群を備えるズームレンズである。
【００６６】
表１に数値実施例７の各条件式の対応値を示す。
数値実施例７は条件式（１）〜（６）の何れも満足しており、高倍率なエクステンダでありながら、軸上色収差の２次スペクトルが抑制されており、高い光学性能を達成している。
【実施例８】
【００６７】
実施例８は、数値実施例８に対応し、マスターレンズＭ１にエクステンダレンズ群ＩＥ８を挿入したレンズ構成である。図２３は、本発明の実施例８（数値実施例８）のズームレンズにおいて、マスターレンズＭ１にエクステンダレンズ群ＩＥ８を挿入した時の、広角端、無限遠合焦状態における断面図である。
【００６８】
実施例８のエクステンダレンズ群ＩＥ８は、面番号ＩＥ０１〜ＩＥ１０に対応し、物体側から順に正レンズＧｐである正レンズ（Ｇｐ１）、正レンズ、正レンズと負レンズの接合レンズ、正レンズ、正レンズと負レンズの接合レンズで構成されている。図２４は、無限遠合焦時の（ａ）広角端、（ｂ）焦点距離１６０．０ｍｍ、（ｃ）望遠端における縦収差図を示す。実施例８はエクステンダ倍率２．２倍のエクステンダレンズ群を備えるズームレンズである。
【００６９】
表１に数値実施例８の各条件式の対応値を示す。数値実施例８は条件式（１）〜（６）の何れも満足しており、高倍率なエクステンダでありながら、軸上色収差の２次スペクトルが抑制されており、高い光学性能を達成している。
【実施例９】
【００７０】
実施例９は、数値実施例９に対応し、マスターレンズＭ３にエクステンダレンズ群ＩＥ９を挿入したレンズ構成である。図２５は、本発明の実施例９（数値実施例９）のズームレンズにおいて、マスターレンズＭ３にエクステンダレンズ群ＩＥ９を挿入した時の、広角端、無限遠合焦状態における断面図である。
【００７１】
実施例９のエクステンダレンズ群ＩＥ９は、面番号ＩＥ０１〜ＩＥ１０に対応し、正レンズ、正レンズＧｐである正レンズ（Ｇｐ１）と負レンズの接合レンズ、負レンズと正レンズの接合レンズ、負レンズで構成されている。図２４は、無限遠合焦時の（ａ）広角端、（ｂ）焦点距離６８２ｍｍ、（ｃ）望遠端における縦収差図を示す。実施例９はエクステンダ倍率２．０倍のエクステンダレンズ群を備えるズームレンズである。
【００７２】
表１に数値実施例９の各条件式の対応値を示す。数値実施例９は条件式（１）〜（６）の何れも満足しており、高倍率なエクステンダでありながら、軸上色収差の２次スペクトルが抑制されており、高い光学性能を達成している。
【実施例１０】
【００７３】
実施例１０は、数値実施例１０に対応し、マスターレンズＭ４にエクステンダレンズ群ＩＥ１０を挿入する構成である。
【００７４】
はじめに数値実施例４に対応するマスターレンズＭ４について説明する。図７は、マスターレンズＭ４の広角端、無限遠合焦状態におけるレンズ断面図である。Ｌ１はズーミングのためには移動しない正の屈折力の第１レンズ群である。第１レンズ群Ｌ１の一部のレンズ群が無限遠物体から近距離物体にフォーカシングする際に移動する。Ｌ２は広角端（短焦点距離端）から望遠端（長焦点距離端）へのズーミングに際して像側へ移動する変倍用の負の屈折力の第２レンズ群である。Ｌ３は広角端から望遠端へのズーミングに際して光軸上を移動する変倍用の正の屈折力の第３レンズ群である。Ｌ４は広角端から望遠端へのズーミングに際して光軸上を移動する変倍用の負の屈折力の第４レンズ群である。Ｌ５は、変倍に伴う像面変動を補正する正の屈折力の第５レンズ群である。Ｌ６はズーミングに際して不動の開口絞りＳＰを含み、ズーミングに際して不動の正の第６レンズ群である。ＲＬは、ズーミングに際して不動であり、結像作用を有するリレーレンズ群である。Ｐはプリズムなどの光学素子である。Ｉは像面であり、固体撮像素子（光電変換素子）の撮像面に相当している。
【００７５】
次に、マスターレンズＭ４の各群の構成について説明する。以下、各レンズは物体側より像側へ順に配置されているものとする。第１レンズ群Ｌ１は負レンズ、負レンズ、正レンズ、正レンズ、正レンズ、負レンズ、正レンズ、正レンズ、正レンズの９枚で構成されている。フォーカシングに際して第１レンズ群の物体側から５枚目から８枚目の４枚のレンズが無限遠物体から近距離物体への合焦時に物体側に移動し、最も像側の１枚の正レンズがそれに伴い物体側へ移動する。第２レンズ群Ｌ２は負レンズ、正レンズと負レンズの接合レンズ、正レンズで構成されている。第４レンズ群Ｌ４は負レンズと正レンズの接合レンズで構成されている。第５レンズ群Ｌ５は正レンズ、正レンズで構成されている。ズーミングに際して第２レンズ群、第３レンズ群、第４レンズ群、第５レンズ群が移動する。第６レンズ群Ｌ６は正レンズと負レンズの接合レンズで構成されている。リレーレンズ群ＲＬは正レンズ、負レンズと正レンズの接合レンズ、正レンズと負レンズの接合レンズ、正レンズで構成されている。図８に、マスターレンズＭ４の無限遠合焦時の（Ａ）広角端、（Ｂ）焦点距離３３．３ｍｍ、（Ｃ）望遠端における縦収差図を示す。
【００７６】
次に、マスターレンズＭ４のリレーレンズ群ＲＬの物体側に挿入されることで、レンズ全系の焦点距離を２倍に長焦点化するエクステンダレンズ群ＩＥ１０について説明する。図２７は、本発明の実施例１０（数値実施例１０）のズームレンズにおいて、マスターレンズＭ４にエクステンダレンズ群ＩＥ１０を挿入した時の、広角端、無限遠合焦状態における断面図である。実施例１０のエクステンダレンズ群ＩＥ１０は、面番号ＩＥ０１〜ＩＥ１１に対応し、物体側から順に正レンズＧｐである正レンズ（Ｇｐ１）、正レンズと負レンズの接合レンズ、負レンズと正レンズの接合レンズ、正レンズと負レンズの接合レンズで構成されている。図２８は、無限遠合焦時の（ａ）広角端、（ｂ）焦点距離６６．６ｍｍ、（ｃ）望遠端における縦収差図を示す。実施例１０はエクステンダ倍率２．０倍のエクステンダレンズ群を備えるズームレンズである。
【００７７】
表１に数値実施例１０の各条件式の対応値を示す。数値実施例１０は条件式（１）〜（６）の何れも満足しており、高倍率なエクステンダでありながら、軸上色収差の２次スペクトルが抑制されており、高い光学性能を達成している。
【００７８】
図２９は本発明の実施例１乃至１０のいずれかのズームレンズを撮影光学系として用いた撮像装置（テレビカメラシステム）の要部概略図である。図２９において１０１は実施例１乃至５のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、結像用のレンズ群Ｒを有している。第１レンズ群Ｆは合焦に際し移動するレンズ群を含む。
【００７９】
変倍部ＬＺはズーミングに際して移動する少なくとも２群以上のレンズ群が含まれている。変倍部ＬＺより像側には開口絞りＳＰ、レンズ群Ｒ１、レンズ群Ｒ２、レンズ群Ｒ３が配置され、光路中より挿抜可能なエクステンダレンズ群ＩＥを有している。レンズ群Ｒ２とエクステンダレンズ群ＩＥを切り替えることで、ズームレンズ１０１の全系の焦点距離範囲を変位可能としている。また、実施例６，７では、レンズ群Ｒ２を有さず、エクステンダレンズ群ＩＥがレンズ群Ｒ１とレンズ群Ｒ３の間に挿入されることで、焦点距離範囲を変位可能としている。１１４、１１５はそれぞれ第１レンズ群Ｆ、変倍部ＬＺを光軸方向に移動するヘリコイドやカム等の駆動機構である。１１６〜１１８は駆動機構１１４、１１５及び開口絞りＳＰを電気駆動するモータ（駆動手段）である。
【００８０】
１１９〜１２１は、レンズ群、変倍部ＬＺの光軸上の位置、開口絞りＳＰの絞り径等の検出のためのエンコーダやポテンショメータ、あるいはフォトセンサなどの検出器である。カメラ１２４において、１０９はカメラ１２４内の光学フィルタや色分解光学系に相当するガラスブロックである。１１０はズームレンズ１０１の像面の位置に配置されズームレンズ１０１によって形成された被写体像を受光するＣＣＤセンサやＣＭＯＳセンサなどの固体撮像素子（光源変換素子）である。また、１１１、１２２はカメラ１２４及びズームレンズ１０１の各種駆動を制御するＣＰＵである。
【００８１】
このように本発明のズームレンズをカメラシステムに適用することにより、高い光学性能を有する撮像装置を実現している。
【００８２】
以上、本発明の好ましい実施形態について説明したが、本発明はこれらの実施形態に限定されず、その要旨の範囲内で種々の変形及び変更が可能である。例えば、本件の関与する内蔵エクステンダ付のズームレンズでは、フォーカスレンズ部の構成、ズーム部のレンズ群数やパワー配置等が本件と異なる場合でも、エクステンダレンズ群の構成には本質的に影響を与えない。
【００８３】
（数値実施例）
単位mm
面データ
（マスターレンズＭ１）
面番号      r         d        nd        vd       θgF
1    -2739.46495   2.50000  1.805181   25.42    0.6161
2      205.98989   7.29908
3     2126.26976   2.50000  1.800999   34.97    0.5864
4      431.78657   6.46485  1.433870   95.10    0.5373
5     -294.19261   0.20000
6      737.50581   4.00480  1.433870   95.10    0.5373
7     -389.59651   8.96865
8    -1996.14813   8.39539  1.433870   95.10    0.5373
9     -105.23558   2.78371
10      -80.40014   2.40000  1.749505   35.33    0.5818
11     -137.98129   0.15000
12      205.74302   5.37081  1.595220   67.74    0.5442
13     -688.44975   0.20000
14      766.60665   5.88590  1.595220   67.74    0.5442
15     -166.15828   0.47000
16       49.47447   5.24681  1.763850   48.51    0.5587
17       80.44158    (可変)
18      250.56517   1.07000  2.003300   28.27    0.5980
19       15.75387   5.08366
20     -335.94788   7.12036  1.808095   22.76    0.6307
21      -13.90882   0.81000  1.882997   40.76    0.5667
22       47.46254   0.23000
23       31.14050   2.97701  1.761821   26.52    0.6136
24      525.00963    (可変)
25      -20.49118   0.75000  1.756998   47.82    0.5565
26       72.11890   4.92901  1.846490   23.90    0.6217
27      -76.69435    (可変)
28     -137.79219   4.30182  1.639999   60.08    0.5370
29      -43.89438   0.15000
30       87.53367   2.63496  1.516330   64.14    0.5353
31     -152.49568    (可変)
32(絞り)  ∞        0.74000
33       47.33141   3.50000  1.589130   61.14    0.5407
34      107.31103   2.00000  1.953750   32.32    0.5898
35       77.30381  35.00000
36       32.16272   4.30491  1.487490   70.23    0.5300
37    -9350.34066   0.20000
38      262.81490   1.00000  1.882997   40.76    0.5667
39       19.68393   6.72832  1.496999   81.54    0.5375
40     -213.64163   0.17049
41       43.24329   7.71355  1.548141   45.79    0.5686
42      -22.79528   1.00000  1.882997   40.76    0.5667
43      280.97429   2.74860
44       54.43612   7.49618  1.487490   70.23    0.5300
45      -30.60306   4.50000
46        ∞       33.00000  1.608590   46.44    0.5664
47        ∞       13.20000  1.516330   64.14    0.5353
48        ∞            BF  
像面               
非球面データ
第18面
K = 1.72144e+002  A 4= 9.19589e-006  A 6=-1.71369e-008  A 8= 5.48441e-011  A10=-3.19872e-013  A12= 7.81761e-016  
各種データ
ズーム比     15.50 
広角     中間     望遠
焦点距離       8.97    72.71   139.09  
Fナンバー      1.90     1.90     2.44  
画角          31.50     4.33     2.26  
像高           5.50     5.50     5.50  
レンズ全長   284.05   284.05   284.05  
BF             7.20     7.20     7.20  
d17            1.17    45.05    49.93  
d24           44.48     5.48     4.40  
d27            8.62     9.82     2.22  
d31            6.38     0.29     4.10  
ズームレンズ群データ
群  始面    焦点距離  
1    1      68.87  
2   18     -15.71  
3   25     -42.70  
4   28      51.54  
5   32      53.11  
【００８４】
（マスターレンズＭ２）
面番号      r         d        nd        vd       θgF
1      156.94333  16.05919  1.487490   70.23    0.5300
2    -7723.21351   1.00000
3      163.33528   3.40000  1.729157   54.68    0.5444
4      103.98862   6.27512
5      122.93423  20.71722  1.433870   95.10    0.5373
6     -321.06737   1.50000
7     -263.29804   3.20000  1.729157   54.68    0.5444
8      217.24263  15.52121
9      156.03224  16.09884  1.433870   95.10    0.5373
10     -326.84519   0.20000
11      139.50198   6.99161  1.433870   95.10    0.5373
12      228.87615    (可変)
13    -7969.42099   1.20000  1.772499   49.60    0.5520
14       29.88930   6.84679
15     -111.68860   1.00000  1.618000   63.33    0.5441
16       30.30066   7.74543  1.720467   34.71    0.5834
17      -67.86327   3.09396
18      -33.69126   1.00000  1.618000   63.33    0.5441
19      381.19561   0.20000
20       90.50828   2.65978  1.548141   45.79    0.5686
21     8908.11473    (可変)
22      -69.14204   1.00000  1.729157   54.68    0.5444
23      168.09200   3.44117  1.846660   23.78    0.6205
24     -968.10542    (可変)
25      124.41442   6.23252  1.593490   67.00    0.5361
26      -90.29165   1.00000
27       47.97354   8.89529  1.618000   63.33    0.5441
28     -142.42508   9.03019
29(絞り)   ∞       2.00000
30      149.28153   7.23459  1.438750   94.93    0.5340
31      -33.34714   1.20000  2.003300   28.27    0.5980
32      550.26602   7.00000
33       95.05592   6.81963  1.567322   42.82    0.5731
34      -41.26136   8.41339
35      -59.81298   1.20000  2.001000   29.13    0.5997
36       16.22581   6.84601  1.846660   23.78    0.6205
37      137.33489  40.00000
38       54.39197   6.90684  1.487490   70.23    0.5300
39      -37.58128   3.00000
40     -131.67500   1.00000  1.834807   42.73    0.5648
41       51.85312   5.10607  1.728250   28.46    0.6077
42      -63.45539   2.31578
43      -31.24271   1.00000  1.882997   40.76    0.5667
44      604.84283   4.42272  1.647689   33.79    0.5938
45      -62.62557      BF  
像面        
非球面データ
第13面
K = 2.16213e+005  A 4= 2.41572e-006  A 6= 1.80376e-010  A 8=-2.94520e-012  A10=-7.62036e-014  A12= 7.98769e-016  A14=-2.83869e-018  A16= 3.65020e-021  
第26面
K =-3.17969e-001  A 4= 7.05385e-007  A 6= 3.09137e-010  A 8=-1.06097e-012  A10= 3.24166e-015  A12=-2.22180e-018  A14=-4.33681e-021  A16= 6.21800e-024  
各種データ
ズーム比     18.00 
広角     中間     望遠
焦点距離      45.00   484.20   810.00  
Fナンバー      4.50     4.50     6.91  
画角          18.21     1.75     1.05  
像高          14.80    14.80    14.80  
レンズ全長   450.00   450.00   450.00  
BF            52.00    52.00    52.00  
d12           10.00   125.38   134.86  
d21          138.23     5.71    10.13  
d24            1.00    18.14     4.24  
ズームレンズ群データ
群  始面    焦点距離  
1    1     216.70  
2   13     -30.00  
3   22    -111.70  
4   25      55.00  
【００８５】
（マスターレンズＭ３）
面番号      r         d        nd        vd       θgF
1     1571.41080   5.91470  1.903660   31.32    0.5946
2      361.49107   3.12774
3      389.83081  20.85424  1.433870   95.10    0.5373
4    -1519.13423  25.29053
5      379.38765  19.39696  1.433870   95.10    0.5373
6    -1690.05989   0.24645
7      270.37586  20.45891  1.433870   95.10    0.5373
8     5840.43446   1.18294
9      190.77797  14.41139  1.592400   68.30    0.5456
10      365.54470    (可変)
11    11015.73263   2.20000  2.003300   28.27    0.5980
12       41.06524  10.48694
13      -62.37712   1.40000  1.882997   40.76    0.5667
14       65.17588   9.87631  1.959060   17.47    0.6598
15      -89.08747   2.72138
16      -51.90853   1.60000  1.834000   37.16    0.5776
17     -103.31988    (可変)
18      115.18501  11.58196  1.592010   67.02    0.5357
19    -2087.69083   0.50000
20      142.75791  13.07896  1.592010   67.02    0.5357
21     -231.65488   0.20000
22      122.79297   2.50000  1.805181   25.42    0.6161
23       57.71667  18.11494  1.433870   95.10    0.5373
24     -564.23367   0.50000
25      364.24571   6.50233  1.496999   81.54    0.5375
26     -414.83534    (可変)
27(絞り)  ∞        5.88842
28     -147.17199   1.40000  1.816000   46.62    0.5568
29       46.92367   1.05463
30       37.30299   4.69145  1.808095   22.76    0.6307
31      420.50067   3.36958
32      -76.04681   1.40000  1.882997   40.76    0.5667
33      191.16999    (可変)
34      -41.22296   1.77937  1.651597   58.55    0.5425
35      580.47197   3.52067  1.805181   25.42    0.6161
36     -156.41400   6.45739
37     -103.33214   5.70591  1.701536   41.24    0.5765
38      -53.97854    (可変)
39     -216.19358   4.48509  1.501372   56.42    0.5533
40      -43.97315   0.74039
41      -72.58508   1.30098  1.882997   40.76    0.5667
42       61.01087   9.51251  1.501372   56.42    0.5533
43      -35.67912   0.19980
44       96.27220   8.68658  1.496999   81.54    0.5375
45      -31.82223   1.70169  1.882997   40.76    0.5667
46     -176.14343   2.14479
47       50.45910   8.13736  1.487490   70.23    0.5300
48      -79.75110   5.00000
49         ∞      33.00000  1.608590   46.44    0.5664
50         ∞      13.20000  1.516330   64.15    0.5352
51         ∞          BF  
像面      
非球面データ
第11面
K =-2.61129e+006  A 4= 1.14924e-006  A 6=-4.20242e-010  A 8= 7.06050e-012  A10= 1.71748e-014  A12=-3.95143e-018  A14=-2.50492e-020  A16= 2.74832e-023  
A 3=-7.41007e-007  A 5=-2.86209e-008  A 7= 4.68402e-011  A 9=-6.67517e-013  A11=-2.87644e-016  A13= 1.44174e-018  A15=-1.26241e-021  
第19面
K =-8.09196e+003  A 4= 2.70610e-007  A 6= 1.07566e-009  A 8=-3.82716e-014  A10=-1.89869e-016  A12= 1.74435e-020  A14=-2.31461e-023  A16= 5.87253e-027  
A 3=-1.02923e-007  A 5=-2.58308e-008  A 7=-1.15844e-011  A 9= 3.14187e-015  A11= 2.64931e-018  A13= 8.56747e-022  A15=-2.81713e-025  
第25面
K = 6.92275e+001  A 4=-4.53959e-007  A 6=-6.59771e-011  A 8=-3.55842e-013  A10=-1.48669e-016  A12= 8.98957e-020  A14= 6.50522e-022  A16= 1.24233e-026  
A 3= 7.06566e-007  A 5=-1.77804e-008  A 7= 3.13155e-011  A 9= 8.81552e-016  A11=-1.46851e-017  A13= 1.62371e-021  A15=-1.37737e-023  
各種データ
ズーム比     69.98 
広角     中間     望遠
焦点距離       8.60   341.65   601.79  
Fナンバー      1.80     1.80     3.11  
画角          32.60     0.92     0.52  
像高           5.50     5.50     5.50  
レンズ全長   641.10   641.10   641.10  
BF            18.00    18.00    18.00  
d10            3.03   178.18   184.56  
d17          279.71    41.91    15.69  
d26            3.00    65.65    85.49  
d33           11.30    11.30    11.30  
d38           10.53    10.53    10.53 
ズームレンズ群データ
群  始面    焦点距離  
1    1     248.14  
2   11     -27.25  
3   18      70.50  
4   27     -50.95  
5   34    -411.92  
6   39      52.26  
【００８６】
（マスターレンズＭ４）
面番号      r         d        nd        vd       θgF
1    -2739.46495   2.50000  1.805181   25.42    0.6161
2      205.98989   7.29908
3     2126.26976   2.50000  1.800999   34.97    0.5864
4      431.78657   6.46485  1.433870   95.10    0.5373
5     -294.19261   0.20000
6      737.50581   4.00480  1.433870   95.10    0.5373
7     -389.59651   8.96865
8    -1996.14813   8.39539  1.433870   95.10    0.5373
9     -105.23558   2.78371
10      -80.40014   2.40000  1.749505   35.33    0.5818
11     -137.98129   0.15000
12      205.74302   5.37081  1.595220   67.74    0.5442
13     -688.44975   0.20000
14      766.60665   5.88590  1.595220   67.74    0.5442
15     -166.15828   0.47000
16       49.47447   5.24681  1.763850   48.51    0.5587
17       80.44158    (可変)
18      250.56517   1.07000  2.003300   28.27    0.5980
19       15.75387   5.08366
20     -335.94788   7.12036  1.808095   22.76    0.6307
21      -13.90882   0.81000  1.882997   40.76    0.5667
22       47.46254    (可変) 
23       31.14050   2.97701  1.761821   26.52    0.6136
24      525.00963    (可変) 
25      -20.49118   0.75000  1.756998   47.82    0.5565
26       72.11890   4.92901  1.846490   23.90    0.6217
27      -76.69435    (可変) 
28     -137.79219   4.30182  1.639999   60.08    0.5370
29      -43.89438   0.15000
30       87.53367   2.63496  1.516330   64.14    0.5353
31     -152.49568    (可変) 
32(絞り)  ∞        0.74000
33       47.33141   3.50000  1.589130   61.14    0.5407
34      107.31103   2.00000  1.953750   32.32    0.5898
35       77.30381  35.00000
36       32.16272   4.30491  1.487490   70.23    0.5300
37    -9350.34066   0.20000
38      262.81490   1.00000  1.882997   40.76    0.5667
39       19.68393   6.72832  1.496999   81.54    0.5375
40     -213.64163   0.17049
41       43.24329   7.71355  1.548141   45.79    0.5686
42      -22.79528   1.00000  1.882997   40.76    0.5667
43      280.97429   2.74860
44       54.43612   7.49618  1.487490   70.23    0.5300
45      -30.60306   4.50000
46        ∞       33.00000  1.608590   46.44    0.5664
47        ∞       13.20000  1.516330   64.14    0.5353
48        ∞        BF
像面 
非球面データ
第18面
K = 1.72144e+002  A 4= 9.19589e-006  A 6=-1.71369e-008  A 8= 5.48441e-011  A10=-3.19872e-013  A12= 7.81761e-016  
各種データ
ズーム比     15.50 
広角     中間     望遠
焦点距離       8.97    33.31   139.09  
Fナンバー      1.90     1.89     2.44  
画角          31.50     9.38     2.26  
像高           5.50     5.50     5.50  
レンズ全長   284.05   284.05   284.05  
BF             7.20     7.20     7.20  
d17            1.17    34.40    49.93  
d22            0.23     0.91     0.23  
d24           44.48    11.01     4.40  
d27            8.62    12.22     2.22  
d31            6.38     2.34     4.10  
d48            7.20     7.20     7.20  
入射瞳位置    61.66   186.55   574.23  
射出瞳位置   494.19   494.19   494.19  
前側主点位置  70.80   222.14   753.04  
後側主点位置  -1.77   -26.11  -131.89  
ズームレンズ群データ
群  始面    焦点距離  レンズ構成長  前側主点位置  後側主点位置
1    1      68.87        62.84        41.97         -0.50
2   18      -9.96        14.08         2.94         -5.76
3   23      43.34         2.98        -0.11         -1.79
4   25     -42.70         5.68        -1.48         -4.74
5   28      51.54         7.09         3.58         -0.89
6   32      53.11       123.30        58.80        -54.77
【００８７】
（数値実施例１）  マスターレンズＭ１＋エクステンダレンズ群ＩＥ１
単位 mm
面データ
（エクステンダレンズ群ＩＥ１）
面番号      r         d        nd        vd       θgF
35       77.30381   2.41000
IE01     31.53477   5.78333  1.594100   60.47    0.5551  Ｇｐ１
IE02   -149.03266   0.40000
IE03     40.73614   5.45596  1.595220   67.74    0.5442
IE04    -48.40586   1.00000  1.846660   23.78    0.6205
IE05     63.93550   1.13930
IE06     22.94771   0.80000  1.882997   40.76    0.5667
IE07     12.41842   6.28367  1.581439   40.75    0.5774
IE08     53.71007   2.58534
IE09    -61.71142   2.80540  1.922860   18.90    0.6495
IE10    -20.91470   0.80000  1.882997   40.76    0.5667
IE11     21.97455   5.53700
36       32.16272   4.30491  1.487490   70.23    0.5300
各種データ
ズーム比     15.50 
広角     中間     望遠
焦点距離      17.95   145.44   278.22  
Fナンバー      3.79     3.79     4.89  
画角          17.04     2.17     1.13  
像高           5.50     5.50     5.50  
レンズ全長   284.05   284.05   284.05  
BF             7.20     7.20     7.20  
【００８８】
（数値実施例２）  マスターレンズＭ１＋エクステンダレンズ群ＩＥ２
単位 mm
面データ
（エクステンダレンズ群ＩＥ２）
面番号      r         d        nd        vd       θgF
35       77.30381   2.41000
IE01     27.99045   5.58866  1.610000   66.61    0.5897  Ｇｐ１
IE02  15512.49274   0.40000
IE03     31.43560   6.38521  1.639999   60.08    0.5370
IE04    -57.38134   1.00000  1.892860   20.36    0.6393
IE05     85.30525   1.01564
IE06     13.91892   0.80000  1.834810   42.74    0.5648
IE07      8.52343   5.04698  1.487490   70.23    0.5300
IE08     14.32059   3.72294
IE09    -34.11729   2.29358  1.959060   17.47    0.6598
IE10    -13.46316   0.80000  1.882997   40.76    0.5667
IE11     19.93039   5.53700
36       32.16272   4.30491  1.487490   70.23    0.5300
各種データ
ズーム比     15.50 
広角     中間     望遠
焦点距離      22.44   181.80   347.77  
Fナンバー      4.74     4.74     6.11  
画角          13.77     1.73     0.91  
像高           5.50     5.50     5.50  
レンズ全長   284.05   284.05   284.05  
BF             7.20     7.20     7.20  
【００８９】
（数値実施例３）  マスターレンズＭ１＋エクステンダレンズ群ＩＥ３
単位 mm
面データ
（エクステンダレンズ群ＩＥ３）
面番号      r         d        nd        vd       θgF
35       77.30381   2.44661
IE01     69.09202   5.86031  1.481157   80.19    0.5451  Ｇｐ１
IE02    -66.59456   0.40000
IE03     29.50543   8.60316  1.639999   60.08    0.5370
IE04    -44.00652   1.00000  1.846660   23.87    0.6205
IE05     86.18208   6.82578
IE06   -153.97598   3.57114  1.922860   18.90    0.6495
IE07    -27.12142   0.80000  1.882997   40.76    0.5667
IE08     22.57559   5.49300
36       32.16272   4.30491  1.487490   70.23    0.5300
各種データ
ズーム比     15.50 
広角     中間     望遠
焦点距離      16.15   130.89   250.39  
Fナンバー      3.42     3.41     4.40  
画角          18.80     2.41     1.26  
像高           5.50     5.50     5.50  
レンズ全長   284.05   284.05   284.05  
BF             7.20     7.20     7.20  
【００９０】
（数値実施例４）  マスターレンズＭ１＋エクステンダレンズ群ＩＥ４
単位 mm
面データ
（エクステンダレンズ群ＩＥ４）
面番号      r         d        nd        vd       θgF
35       77.30381   2.37398
IE01     65.86667   3.19875  1.650000   65.49    0.5451  Ｇｐ1
IE02    427.34126   0.20000
IE03     63.29267   4.21003  1.516330   64.14    0.5353
IE04   -110.07576   0.20000
IE05     29.91226   5.90947  1.650000   65.49    0.5451  Ｇｐ２
IE06    -48.31934   0.80000  1.854780   24.80    0.6122
IE07     45.60018   9.98277
IE08    -98.79867   2.32500  1.959060   17.47    0.6598
IE09    -24.06690   0.80000  1.882997   40.76    0.5667
IE10     21.50669   5.00000
36       32.16272   4.30491  1.487490   70.23    0.5300
各種データ
ズーム比     15.50 
広角     中間     望遠
焦点距離      17.95   145.40   278.15  
Fナンバー      3.80     3.79     4.88  
画角          17.04     2.17     1.13  
像高           5.50     5.50     5.50  
レンズ全長   284.05   284.05   284.05  
BF             7.20     7.20     7.20  
【００９１】
（数値実施例５）  マスターレンズＭ２＋エクステンダレンズ群ＩＥ５
単位 mm
面データ
（エクステンダレンズ群ＩＥ５）
面番号      r         d        nd        vd       θgF
37      137.33489   5.00000
IE01     17.63663   3.53145  1.481065   80.00    0.5491  Ｇｐ１
IE02     33.67235   5.00000
IE03    331.44092   0.80000  2.001000   29.13    0.5997
IE04     14.54502   5.64466  1.673000   38.15    0.5754
IE05    -70.37634   2.49195
IE06   -223.79035   0.80000  1.481065   80.00    0.5491
IE07     14.31874   6.92346  1.639799   34.46    0.5922
IE08    -29.90251   4.00848
IE09    -21.37121   0.80000  1.772499   49.60    0.5520
IE10     56.79687   5.00000
48       54.39197   6.90684  1.487490   70.23    0.5300
各種データ
ズーム比     18.00 
広角     中間     望遠
焦点距離      67.50   726.30  1215.00  
Fナンバー      6.75     6.75    10.37  
画角          12.37     1.17     0.70  
像高          14.80    14.80    14.80  
レンズ全長   450.00   450.00   450.00  
BF            52.00    52.00    52.00  
d12           10.00   125.38   134.86  
d21          138.23     5.71    10.13  
d24            1.00    18.14     4.24  
【００９２】
（数値実施例６）  マスターレンズＭ２＋エクステンダレンズ群ＩＥ６
単位 mm
面データ
（エクステンダレンズ群ＩＥ６）
面番号      r         d        nd        vd       θgF
37      137.33489   4.46226
IE01     17.77968   2.85066  1.550000   56.79    0.5581  Ｇｐ１
IE02     25.74928   5.00000
IE03   -967.95250   0.80000  2.001000   29.13    0.5997
IE04     16.42054   4.45165  1.673000   38.15    0.5754
IE05    -88.53934   4.64345
IE06    108.84078   0.80000  1.438750   94.66    0.5340
IE07     18.35311   6.43038  1.639799   34.46    0.5922
IE08    -33.73518   4.76159
IE09    -25.19707   0.80000  1.772499   49.60    0.5520
IE10     56.79687   5.00000
48       54.39197   6.90684  1.487490   70.23    0.5300
各種データ
ズーム比     18.00 
広角     中間     望遠
焦点距離      63.00   677.88  1134.00  
Fナンバー      6.30     6.30     9.68  
画角          13.22     1.25     0.75  
像高          14.80    14.80    14.80  
レンズ全長   450.00   450.00   450.00  
BF            52.00    52.00    52.00  
【００９３】
（数値実施例７）  マスターレンズＭ３＋エクステンダレンズ群ＩＥ７
単位 mm
面データ
（エクステンダレンズ群ＩＥ７）
面番号      r         d        nd        vd       θgF
33      191.16999    (可変)
IE01     59.66665   4.21718  1.640000   66.08    0.5581  Ｇｐ１
IE02    -98.37173   0.49901
IE03     14.85066   6.11142  1.517417   52.43    0.5564
IE04     39.09070   1.00000  2.001000   29.13    0.5997
IE05     14.78268   6.68702
IE06   -151.54368   1.00000  1.953750   32.32    0.5898
IE07     88.96309   3.76110  1.805181   25.42    0.6161
IE08    -24.32687   1.55033
IE09    -19.41823   1.00000  1.834810   42.74    0.5648
IE10    150.34659   7.46887
39     -216.19358   4.48509  1.501372   56.42    0.5533
各種データ
ズーム比     69.81 
広角     中間     望遠
焦点距離      17.20   682.10  1200.47  
Fナンバー      3.81     3.79     6.20  
画角          17.74     0.46     0.26  
像高           5.50     5.50     5.50  
レンズ全長   641.08   641.08   641.08  
BF            18.00    18.00    18.00  
【００９４】
（数値実施例８）  マスターレンズＭ１＋エクステンダレンズ群ＩＥ８
単位 mm
面データ
（エクステンダレンズ群ＩＥ８）
面番号      r         d        nd        vd       θgF
35       77.30381   2.41000
IE01     36.31627   4.72681  1.650000   54.96    0.5784  Ｇｐ１
IE02   -651.26620   0.40000
IE03     26.81410   6.53372  1.537750   74.70    0.5392
IE04    -47.56255   1.00000  2.000690   25.46    0.6133
IE05     51.37093   0.22749
IE06     60.91837   4.01876  1.618000   63.33    0.5441
IE07    -51.56085   6.79323
IE08    -34.23840   2.59700  1.922860   18.90    0.6495
IE09    -13.11565   0.80000  1.882997   40.76    0.5667
IE10     19.54394   5.49300
36       32.16272   4.30491  1.487490   70.23    0.5300
各種データ
ズーム比     15.50 
広角     中間     望遠
焦点距離      19.74   159.96   306.00  
Fナンバー      4.18     4.17     5.37  
画角          15.57     1.97     1.03  
像高           5.50     5.50     5.50  
レンズ全長   284.05   284.05   284.05  
BF             7.19     7.19     7.19  
【００９５】
（数値実施例９）  マスターレンズＭ３＋エクステンダレンズ群ＩＥ９
単位 mm
面データ
（エクステンダレンズ群ＩＥ９）
33      191.16999   5.99785
IE01     64.51582   4.37179  1.516330   64.14    0.5353
IE02    -75.97803   0.49843
IE03     14.78005   5.28469  1.640000   66.08    0.5581  Ｇｐ１
IE04     26.57038   1.00000  2.001000   29.13    0.5997
IE05     13.69747   6.97763
IE06   -201.67746   1.00000  1.953750   32.32    0.5898
IE07     44.16083   4.12472  1.805181   25.42    0.6161
IE08    -24.60014   1.56880
IE09    -18.37580   1.00000  1.834810   42.74    0.5648
IE10    150.14504   7.46887
34     -216.19358   4.48509  1.501372   56.42    0.5533
各種データ
ズーム比     69.81 
広角     中間     望遠
焦点距離      17.20   682.27  1200.76  
Fナンバー      3.82     3.80     6.20  
画角          17.73     0.46     0.26  
像高           5.50     5.50     5.50  
レンズ全長   641.08   641.08   641.08  
BF            17.98    17.98    17.98  
【００９６】
（数値実施例１０）  マスターレンズＭ４＋エクステンダレンズ群ＩＥ１０
単位 mm
面データ
（エクステンダレンズ群ＩＥ１０）
面番号      r         d        nd        vd       θgF
35       77.30381   2.41000  
IE01     31.07282   5.88628  1.594100   60.47    0.5551  Ｇｐ１
IE02   -136.45347   0.40000
IE03     36.67646   5.54283  1.537750   74.70    0.5392
IE04    -50.04380   1.00000  1.846660   23.78    0.6205
IE05     58.39910   0.99996
IE06     24.19030   0.80000  1.882997   40.76    0.5667
IE07     12.76110   6.52549  1.581439   40.75    0.5774
IE08     70.28877   2.64566    
IE09    -65.28024   2.45279  1.922860   18.90    0.6495
IE10    -20.97337   0.80000  1.882997   40.76    0.5667
IE11     21.97455   5.53700    
36       32.16272   4.30491  1.487490   70.23    0.5300
各種データ
ズーム比     15.50 
広角     中間     望遠
焦点距離      17.95    66.63   278.21  
Fナンバー      3.80     3.77     4.88  
画角          17.04     4.72     1.13  
像高           5.50     5.50     5.50  
レンズ全長   284.04   284.04   284.04  
BF             7.20     7.20     7.20  
【００９７】
【表１】
2020012910.tif 000004
【符号の説明】
【００９８】
Ｌ１  第１レンズ群
Ｌ２  第２レンズ群
Ｌ３  第３レンズ群
Ｌ４  第４レンズ群
Ｌ５  第５レンズ群
Ｌ６  第６レンズ群
ＥＸＴ  エクステンダレンズ群
ＲＬ  リレーレンズ群
Ｐ  光学素子
【図１】
2020012910.tif 000005
【図２】
2020012910.tif 000006
【図３】
2020012910.tif 000007
【図４】
2020012910.tif 000008
【図５】
2020012910.tif 000009
【図６】
2020012910.tif 000010
【図７】
2020012910.tif 000011
【図８】
2020012910.tif 000012
【図９】
2020012910.tif 000013
【図１０】
2020012910.tif 000014
【図１１】
2020012910.tif 000015
【図１２】
2020012910.tif 000016
【図１３】
2020012910.tif 000017
【図１４】
2020012910.tif 000018
【図１５】
2020012910.tif 000019
【図１６】
2020012910.tif 000020
【図１７】
2020012910.tif 000021
【図１８】
2020012910.tif 000022
【図１９】
2020012910.tif 000023
【図２０】
2020012910.tif 000024
【図２１】
2020012910.tif 000025
【図２２】
2020012910.tif 000026
【図２３】
2020012910.tif 000027
【図２４】
2020012910.tif 000028
【図２５】
2020012910.tif 000029
【図２６】
2020012910.tif 000030
【図２７】
2020012910.tif 000031
【図２８】
2020012910.tif 000032
【図２９】
2020012910.tif 000033
【図３０】
2020012910.tif 000034
【図３１】
2020012910.tif 000035